(57)【要約】【課題】同期システムにおいて、マルチパスフェージング環境下においても小規模回路で正確な同期確立を可能とする。【解決手段】同期システム３２は、ベースバンド信号を１シンボルにつき複数のサンプリングタイミングでサンプリングし、量子化して検波する。同期システム３２は、検波されたサンプル値列について、量子化された値を２値に変換せず、複数のサンプリングタイミングのサンプル値列とユニークワードとの相関値をサンプリングタイミング毎に算出し、その相関値を基にシンボル同期タイミングとフレーム同期タイミングとを設定する。従来のサンプル値の２値化はなされずに相関値が算出されるので、マルチパスフェージングにより受信ベースバンド信号の波形が歪んだとしても、２値化時の丸め込みによる相関値の誤差は少なくなり、同期確立の精度が向上する。また、その精度向上に必要な処理は、ＯＦＤＭ方式等と比べて簡単で済み、回路を小型化できる。【選択図】図１
2014072742.tif 000002
【特許請求の範囲】
【請求項１】
ベースバンド信号を１シンボルにつき複数のサンプリングタイミングでサンプリングして検波し、その検波されたままの値の前記ベースバンド信号のサンプル値列と所定の同期用ビット列との相関値を前記サンプリングタイミング毎に算出し、その算出された相関値を基にシンボル同期とフレーム同期とを確立することを特徴とする同期システム。
【請求項２】
ベースバンド信号を１シンボルにつき複数のサンプリングタイミングでサンプリングし、かつＭ（Ｍ：２以上の整数）ビットで量子化するオーバサンプリング部と、前記オーバサンプリング部により量子化されたサンプル値列を検波する検波部と、前記検波部により検波されたサンプル値列について、量子化されたサンプル値を２値に置き換えることなく、そのままの値で用いて、前記複数のサンプリングタイミングのサンプル値列と所定の同期用ビット列との相関値をサンプリングタイミング毎に算出し、その算出された相関値に基づいてシンボル同期とフレーム同期とを確立する同期確立部と、を備えることを特徴とする請求項１に記載の同期システム。
【請求項３】
前記同期確立部は、前記算出された相関値が相関閾値以上であれば、その相関値のサンプリングタイミングをシンボル同期タイミングに設定し、該相関値が相関閾値以上となったタイミングをフレーム同期タイミングに設定することを特徴とする請求項２に記載の同期システム。
【請求項４】
前記同期確立部は、前記複数のサンプリングタイミングのうち、全てのサンプリングタイミングのサンプル値列について前記相関値を算出することを特徴とする請求項２又は請求項３に記載の同期システム。
【請求項５】
前記同期確立部は、前記相関閾値以上である相関値を抽出する相関値抽出部と、その抽出された相関値の中から最大相関値を抽出する最大相関値抽出部と、を有し、その抽出された最大相関値のサンプリングタイミングをシンボル同期タイミングに設定し、該相関値が最大相関値となったタイミングをフレーム同期タイミングに設定することを特徴とする請求項３に記載の同期システム。
【請求項６】
前記同期システムに入力される入力信号のレベルを正規化する正規化部をさらに備えることを特徴とする請求項２乃至請求項５のいずれか一項に記載の同期システム。
【請求項７】
前記同期確立部は、前記同期システムに入力される入力信号の移動平均値を算出する平均値算出部を有し、その算出された移動平均値を基に前記相関閾値を設定することを特徴とする請求項３又は請求項５に記載の同期システム。
【請求項８】
請求項２乃至請求項７のいずれか一項に記載の同期システムを備えた受信装置。
【請求項９】
請求項８に記載の受信装置と、
前記受信装置に、ベースバンド信号をアップコンバートして得られたＲＦ信号を送信する送信装置と、を備え、
前記受信装置は、前記送信装置から送信されたＲＦ信号を受信する受信部と、前記受信部により受信されたＲＦ信号をダウンコンバートしてベースバンド信号を得るダウンコンバート部と、をさらに有することを特徴とする通信システム。
【請求項１０】
前記送信装置は、前記同期用ビット列であるユニークワードを定期的に送信し、
前記同期確立部は、前記ユニークワードの最後のシンボルを検出した時からの経過時間をカウントする第１のカウンタを有し、前記第１のカウンタによるカウント時間が前記ユニークワードの最後のシンボルが検出される時から次のユニークワード入力時までの既知期間以内である間は、前記シンボル同期及びフレーム同期の確立動作を停止することを特徴とする請求項９に記載の通信システム。
【請求項１１】
前記同期確立部は、前記ユニークワードの最後のシンボルを検出した時からの経過時間をカウントし、その最大カウント時間を前記既知期間と前記ユニークワードの長さとの合計よりも長く設定した第２のカウンタを有し、前記第２のカウンタによるカウント時間が前記最大カウント時間に達したとき、前記同期確立停止機能を強制的にオフすることを特徴とする請求項１０に記載の通信システム。
【請求項１２】
前記送信装置は、前記同期用ビット列であるユニークワードを、前記サンプリングタイミングの数のｍ（ｍ：整数）倍だけ連続して送信し、
前記同期システムは、前記相関値を算出するサンプリングタイミングを、１ユニークワードのｍ倍の長さ毎に切り替えるタイミング設定部をさらに備えることを特徴とする請求項９に記載の通信システム。
【請求項１３】
ベースバンド信号を１シンボルにつき複数のサンプリングタイミングでサンプリングして検波し、その検波されたままの値の前記ベースバンド信号のサンプル値列と所定の同期用ビット列との相関値を前記サンプリングタイミング毎に算出し、その算出された相関値を基にシンボル同期とフレーム同期とを確立することを特徴とする同期方法。
【請求項１４】
ベースバンド信号を１シンボルにつき複数のサンプリングタイミングでオーバサンプリングし、かつＭ（Ｍ：２以上の整数）ビットで量子化するオーバサンプリングステップと、
前記オーバサンプリングステップにより量子化されたサンプル値列を検波する検波ステップと、
前記検波ステップにより検波されたサンプル値列について、量子化されたサンプル値を２値に置き換えることなく、そのままの値で用いて、前記複数のサンプリングタイミングのサンプル値列と所定の同期用ビット列との相関値をサンプリングタイミング毎に算出し、その算出された相関値に基づいてシンボル同期とフレーム同期とを確立する同期確立ステップと、を有することを特徴とする請求項１３に記載の同期方法。
【発明の詳細な説明】
【技術分野】
【０００１】
本発明は、通信におけるベースバンド信号の同期確立を行う同期システムとそれを備えた受信装置、同装置を備えた通信システム、及び同期方法に関する。
【背景技術】
【０００２】
一般的な無線通信は、送信器と受信器が互いに異なるクロックで動作しているため、非同期通信となる。そのため、受信器は、送信器からの信号をどのタイミングで受信した場合でも対応可能なように、受信したベースバンド信号の１シンボルに対して複数のサンプリングを行うオーバサンプリングをし、シンボルを検出できる最適なタイミングを抽出する必要がある。そのような抽出処理は、シンボル同期処理と称される。また、通信に使用される信号の基本単位はフレームであり、フレーム中のヘッダ又はデータ等の始まりを識別する必要がある。そのような識別処理は、フレーム同期処理と称される。一般的な無線通信用の受信装置は、少なくとも、上記のシンボル同期及びフレーム同期を確立する同期システムを有している。
【０００３】
従来のシンボル同期確立の手法としては、ゼロクロス検出方法が広く知られている。このゼロクロス検出方法においては、ベースバンド信号の先頭に、１と０とを交互に繰り返す信号（１０１０１０…と続く信号）が配置されている。受信装置において、このベースバンド信号はオーバサンプリングされ、１と０とを繰り返す信号の符号反転タイミング、すなわち、ゼロクロスのタイミングが読み取られる。そして、その読み取られたゼロクロスのタイミングを基に、シンボルの正確な検出が可能なサンプリングタイミングが求められ、そのサンプリングタイミングがシンボル同期タイミングに設定される。例えば、ゼロクロスと次のゼロクロスの中間に最も近いサンプリングタイミングがシンボル同期タイミングに設定される。
【０００４】
次に、シンボル同期の取れたベースバンド信号について、従来のフレーム同期を確立する手法を図３０に示す。元々、シンボル同期確立処理において、ベースバンド信号をオーバサンプリングして得た値、すなわち、ベースバンド信号のサンプル値は量子化されている。従来のフレーム同期を確立する手法では、シンボル同期タイミングに設定されたサンプリングタイミングのサンプル値列について、上記のように量子化された値が、２値化閾値を基準に弁別され、２値に置き換えられる（Ｓ１０１）。そして、そのサンプル値列と、同じく２値である既知のフレーム同期用ビット列との相関値が算出される（Ｓ１０２）。そして、その算出された相関値が予め設定された相関閾値以上であれば（Ｓ１０３でＹｅｓ）、上記サンプル値列とフレーム同期用ビット列とが一致したと判断され、それらが一致したタイミングがフレーム同期タイミングに設定される。そのようにしてフレーム同期が確立される（Ｓ１０４）。
【０００５】
ところで、無線通信システムにおいては、マルチパスフェージングに起因した受信信号波形の歪みが課題の一つとして挙げられる。この波形歪みの現象は、送信信号が、複数の異なる経路（マルチパス）を経て各々異なる遅延時間を持って受信アンテナに到来し、それらが受信アンテナで足し合わされることに因る。マルチパス環境では、送信アンテナから直接到来する直接波と障害物や地表で反射された間接波とが受信アンテナに入力されたり、直接波が無く複数の経路を経た複数の間接波のみが受信アンテナに伝わったりする。
【０００６】
このような現象が生じた場合、受信信号波形が歪んでしまうことがある。受信信号波形は、信号の伝送速度が速いほど、歪み易い傾向にある。その理由について、図３１を用いて説明する。同図に示されるように、信号の伝送速度が速いと、信号のシンボル長が短くなることから、シンボル長に対する上記遅延時間の相対的な比率は高くなる。そのため、例えば、異なる経路を経た２つ信号があり、一方の信号に対し他方の信号がマルチパスに因り遅延し、信号のシンボル長がその遅延時間に近い場合、一方の信号の１番目のシンボルと他方の信号の０番目のシンボルとの重なり部分が長くなる。その結果、シンボル長に対する受信信号波形の歪みが相対的に大きくなってしまう。同図では、２つの信号だけを取り上げたが、実際には、遅延量の異なる多数のマルチパルス信号が足し合わされるので、上記の歪みはさらに大きくなり得る。このように歪みが大きくなると、上記のシンボル同期確立処理において、本来のゼロクロスのタイミングを検出できず、従って、安定したシンボル同期が得られないという問題が生じ、その結果、上記のフレーム同期確立処理の同期精度にも影響が及ぶことがある。
【０００７】
また、仮に、受信信号波形の歪みが大きい状態で、シンボル同期を正確に確立できたとしても、フレーム同期確立処理の同期精度に影響が及ぶことがある。その理由について、図３２（ａ）〜（ｃ）を参照して説明する。図３２（ａ）〜（ｃ）はそれぞれ、理想的なフレーム同期用ビット列の信号波形と、検波後でかつ２値化される前の受信信号波形と、２値化後のフレーム同期用ビット列の信号波形とを例示する。図示のように、受信信号波形の歪みにより信号波形が歪んでしまうと、フレーム同期用ビット列中の１つのビットの理想値が例えば１であっても、その値であるはずの信号値Ｓ１が２値化閾値Ｓｔ未満になり、２値化時に誤って０に丸められることがある。その結果、２値化後のフレーム同期用ビット列は送信時とは異なったビット列となることがある。そうなると、フレーム同期用ビット列の相関値が本来とは異なる値になってしまい、フレーム同期用ビット列の相関値と、その他のビット列の相関値との間で、差が少なくなって、誤同期が生じ、雑音に弱くなる虞がある。
【０００８】
そこで、マルチパスフェージングの影響を解消する代表的な方策としては、ＯＦＤＭ（Orthogonal Frequency Division Multiplexing）等のマルチキャリア伝送技術（例えば、特許文献１参照）がある。これは、伝送する情報を分割して複数のキャリア（サブキャリア）で並列に送信し各キャリアの伝送速度を落とすことにより、通信速度を維持しつつもマルチパスフェージングの影響を低減することを可能にした技術である。この技術では、各キャリアの伝送速度を遅くすることによりシンボル長が長くされ、図３３に示されるように、マルチパスに起因するシンボルあたりの遅延がシンボル長よりも相対的に十分に短くされる。従って、マルチパスフェージングの影響を受けたとしても、シンボル長に対する受信信号波形の歪みが相対的に小さくなり、従って、シンボル同期が確立し易くなり、また、フレーム同期も安定して確立することができる。
【先行技術文献】
【特許文献】
【０００９】
【特許文献１】特開２０１０−１０３９００号公報
【発明の概要】
【発明が解決しようとする課題】
【００１０】
しかしながら、マルチキャリア伝送では、フーリエ逆変換及びフーリエ変換により周波数軸と時間軸とを変換して処理する複雑な構成が必要になり、回路規模が増大してしまうので、回路の小型化が困難であるという欠点がある。
【００１１】
本発明は、この問題を解決するためになされたものである。本発明は、受信装置に設けられた場合、マルチパスフェージング環境下においても、伝送速度を落とすことなく小規模回路で同期を高精度に確立できる同期システムとそれを備えた受信装置、同装置を備えた通信システム、及び同期方法を提供することを目的とする。
【課題を解決するための手段】
【００１２】
上記目的を達成するために本発明の同期システムは、ベースバンド信号を１シンボルにつき複数のサンプリングタイミングでサンプリングして検波し、その検波されたままの値の前記ベースバンド信号のサンプル値列と所定の同期用ビット列との相関値を前記サンプリングタイミング毎に算出し、その算出された相関値を基にシンボル同期とフレーム同期とを確立することを特徴とする。
【００１３】
この発明において、ベースバンド信号を１シンボルにつき複数のサンプリングタイミングでサンプリングし、かつＭ（Ｍ：２以上の整数）ビットで量子化するオーバサンプリング部と、前記オーバサンプリング部により量子化されたサンプル値列を検波する検波部と、前記検波部により検波されたサンプル値列について、量子化されたサンプル値を２値に置き換えることなく、そのままの値で用いて、前記複数のサンプリングタイミングのサンプル値列と所定の同期用ビット列との相関値をサンプリングタイミング毎に算出し、その算出された相関値に基づいてシンボル同期とフレーム同期とを確立する同期確立部と、を備えることが好ましい。
【００１４】
この発明において、前記同期確立部は、前記算出された相関値が相関閾値以上であれば、その相関値のサンプリングタイミングをシンボル同期タイミングに設定し、該相関値が相関閾値以上となったタイミングをフレーム同期タイミングに設定することが好ましい。
【００１５】
この発明において、前記同期確立部は、前記複数のサンプリングタイミングのうち、全てのサンプリングタイミングのサンプル値列について前記相関値を算出することが好ましい。
【００１６】
この発明において、前記同期確立部は、前記相関閾値以上である相関値を抽出する相関値抽出部と、その抽出された相関値の中から最大相関値を抽出する最大相関値抽出部と、を有し、その抽出された最大相関値のサンプリングタイミングをシンボル同期タイミングに設定し、該相関値が最大相関値となったタイミングをフレーム同期タイミングに設定することが好ましい。
【００１７】
この発明において、前記同期システムに入力される入力信号のレベルを正規化する正規化部をさらに備えることが好ましい。
【００１８】
この発明において、前記同期確立部は、前記同期システムに入力される入力信号の移動平均値を算出する平均値算出部を有し、その算出された移動平均値を基に前記相関閾値を設定することが好ましい。
【００１９】
また、本発明の受信装置は、前記同期システムを備える。
【００２０】
また、本発明の通信システムは、前記受信装置と、前記受信装置にベースバンド信号をアップコンバートして得られたＲＦ信号を送信する送信装置と、を備え、前記受信装置は、前記送信装置から送信されたＲＦ信号を受信する受信部と、前記受信部により受信されたＲＦ信号をダウンコンバートしてベースバンド信号を得るダウンコンバート部と、をさらに有することを特徴とする。
【００２１】
この発明において、前記送信装置は、前記同期用ビット列であるユニークワードを定期的に送信し、前記同期確立部は、前記ユニークワードの最後のシンボルを検出した時からの経過時間をカウントする第１のカウンタを有し、前記第１のカウンタによるカウント時間が前記ユニークワードの最後のシンボルが検出される時から次のユニークワード入力時までの既知期間以内である間は、前記シンボル同期及びフレーム同期の確立動作を停止することが好ましい。
【００２２】
この発明において、前記同期確立部は、前記ユニークワードの最後のシンボルを検出した時からの経過時間をカウントし、その最大カウント時間が前記既知期間と前記ユニークワードの長さとの合計よりも長く設定された第２のカウンタを有し、前記第２のカウンタによるカウント時間が前記最大カウント時間に達したとき、前記同期確立停止機能を強制的にオフすることが好ましい。
【００２３】
この発明において、前記送信装置は、前記同期用ビット列であるユニークワードを、前記サンプリングタイミングの数のｍ（ｍ：整数）倍だけ連続して送信し、前記同期システムは、前記相関値を算出するサンプリングタイミングを、１ユニークワードのｍ倍の長さ毎に切り替えるタイミング設定部をさらに備えることが好ましい。
【００２４】
また、本発明の同期方法は、ベースバンド信号を１シンボルにつき複数のサンプリングタイミングでサンプリングして検波し、その検波されたままの値の前記ベースバンド信号のサンプル値列と所定の同期用ビット列との相関値を前記サンプリングタイミング毎に算出し、その算出された相関値を基にシンボル同期とフレーム同期とを確立することを特徴とする。
【００２５】
この発明において、ベースバンド信号を１シンボルにつき複数のサンプリングタイミングでオーバサンプリングし、かつＭビットで量子化するサンプリングステップと、前記サンプリングステップにより量子化されたサンプル値列を検波する検波ステップとを備え、前記検波ステップにより検波されたサンプル値列について、量子化されたサンプル値を２値に置き換えることなく、そのままの値で用いて、前記複数のサンプリングタイミングのサンプル値列と所定の同期用ビット列との相関値をサンプリングタイミング毎に算出し、その算出された相関値に基づいてシンボル同期とフレーム同期とを確立する同期確立ステップと、を有することが好ましい。
【発明の効果】
【００２６】
本発明によれば、検波後のベースバンド信号のサンプル値列について、サンプル値はそのままの値で用いられ、相関値が算出される。従って、受信装置に設けられた場合、マルチパスフェージングの影響により受信ベースバンド信号波形が歪んだとしても、従来のようにサンプル値を２値化してから相関値を算出する場合と比べ２値化時の丸め込みによる相関値の誤差が無くなる。そのため、その相関値に基づいてなされる同期確立の精度を向上することができる。また、同期確立の精度向上に必要な処理は、ＯＦＤＭ方式等のマルチキャリア技術と比べて簡単で済み、従って、回路規模を小さくすることができる。
【図面の簡単な説明】
【００２７】
【図１】本発明の一実施形態に係る通信システムのブロック図。
【図２】上記通信システムにおける通信信号の構成を示す図。
【図３】上記通信システムの受信装置に設けられた同期システムによるサンプリングタイミングを示す図。
【図４】上記同期システムによる同期処理のフローチャート。
【図５】（ａ）乃至（ｄ）は本実施形態の相関値演算手法について説明するための図。
【図６】（ａ）乃至（ｄ）は本実施形態の相関値演算手法について説明するための図。
【図７】第１の変形例に係る同期システムの同期確立回路のブロック図。
【図８】上記同期システムによる同期処理のフローチャート。
【図９】第２の変形例に係る同期システムの同期確立回路のブロック図。
【図１０】上記同期システムによる同期処理のフローチャート。
【図１１】第３の変形例に係る同期システムの同期確立回路のブロック図。
【図１２】上記同期システムによる同期処理のフローチャート。
【図１３】第４の変形例に係る受信装置のブロック図。
【図１４】上記受信装置の同期システムによる同期処理のフローチャート。
【図１５】第５の変形例に係る同期システムの同期確立回路のブロック図。
【図１６】上記同期システムによる同期処理のフローチャート。
【図１７】第６の変形例に係る同期システムの同期確立回路のブロック図。
【図１８】上記変形例に係る通信システムの送信装置による送信信号の構成を示す図。
【図１９】上記同期システムによる同期処理のフローチャート。
【図２０】上記同期システムにおける同期検出禁止期間と同期検出許可期間とを示す図。
【図２１】上記変形例の課題を説明するための図。
【図２２】第７の変形例に係る同期システムの同期確立回路のブロック図。
【図２３】上記同期システムによる同期処理のフローチャート。
【図２４】上記同期システムにおける同期検出禁止期間と同期検出許可期間とを示す図。
【図２５】第８の変形例に係る通信システムのブロック図。
【図２６】上記通信システムの送信装置による送信信号の構成を示す図。
【図２７】上記通信システムの同期システムによる同期処理のフローチャート。
【図２８】第９の変形例に係る送信装置による送信信号の構成と受信装置の同期システムによる同期処理とについて説明するための図。
【図２９】上記変形例の作用を説明するための図。
【図３０】従来のフレーム同期処理のフローチャート。
【図３１】伝送速度の速い送信信号がマルチパスに起因して遅延したときの受信信号を示す図。
【図３２】（ａ）はフレーム同期用ビット列の理想信号波形図、（ｂ）は検波後のフレーム同期用ビット列の信号波形図、（ｃ）そのフレーム同期用ビット列から復号された信号波形図。
【図３３】伝送速度の遅い信号がマルチパスに起因して遅延したときの受信信号を示す図。
【発明を実施するための形態】
【００２８】
図１は、本発明の一実施形態に係る通信システムの構成を示す。その通信システム１は、無線方式で通信する送信装置２と受信装置３とで構成される。送信装置２は、ベースバンド信号をアップコンバートして得られたＲＦ信号を無線送信する。ベースバンド信号は、通信データを変調して成るシンボル列であり、所定データ長のフレーム単位で伝送される。フレームのデータ長は、複数パターンあってもよい。受信装置３は、送信装置２から送信されたＲＦ信号を受信し、その受信されたＲＦ信号をダウンコンバートしてベースバンド信号を得る。
【００２９】
無線式である通信システム１において、当初、受信装置３は、送信装置２から送信されるタイミングを知得できていないので、非同期の状態にある。そのため、上記ベースバンド信号から通信データを読み取るためには、ベースバンド信号を検波するだけでなく、送信装置２と受信装置３との間でシンボル同期及びフレーム同期を確立する必要がある。そこで、図２に示されるように、フレーム２１の先頭には、シンボル同期確立及びフレーム同期確立のためのユニークワード２２が付加されており、その後ろに、通信データ２３が含められている。ユニークワード２２は、所定の同期用ビット列であり、この同期用ビット列を用いてシンボル同期もフレーム同期も確立される。本実施形態では、ベースバンド信号がオーバサンプリングされ、複数のサンプリングタイミング（図３参照）の中から、シンボル値を正確に捉え得るサンプリングタイミングが検出されてシンボル同期タイミングに設定され、それにより、シンボル同期が確立される。
【００３０】
受信装置３は、ＲＦ信号を受信アンテナ３０を介して受信してダウンコンバートする受信回路３１（受信部、ダウンコンバート部）と、ＲＦ信号をダウンコンバートして得られたベースバンド信号との間で同期を確立する同期システム３２とを備える。また、受信装置３は、同期システム３２により同期が確立されたベースバンド信号の誤り訂正を行う誤り訂正回路３６を備える。誤り訂正回路３６は、受信装置３に必ずしも設けられていなくてもよい。
【００３１】
同期システム３２は、ＡＤコンバータ回路３３、フィルタ回路３４、及び同期確立回路３５を有する。ＡＤコンバータ回路３３（オーバサンプリング部）は、受信回路３１から出力されたベースバンド信号をＡＤ変換し、シンボル周波数以上のサンプリング周波数でオーバサンプリングする。シンボル周波数は、１秒間に伝送されるシンボルの数のことである。また、ＡＤコンバータ回路３３は、そのサンプリング処理により得られたベースバンド信号のサンプル値を、Ｍ（Ｍ：２以上の整数）ビットで量子化する。フィルタ回路３４は、ＡＤコンバータ回路３３から出力された信号のうち、ベースバンド信号の成分だけを通過させ、ノイズ成分を除去する。同期確立回路３５（同期確立部）は、フィルタ回路３４を通過したベースバンド信号を検波し、シンボル同期及びフレーム同期を確立する。以下、単に同期と称する場合は、シンボル同期及びフレーム同期を総じて指すものとする。
【００３２】
図３に示すように、ＡＤコンバータ回路３３は、ベースバンド信号を１シンボルＳｂにつき複数のサンプリングタイミングでサンプリング（オーバサンプリング）する。ＡＤコンバータ回路３３は、ベースバンド信号の信号値を、１シンボルＳｂにつき、例えば４つのサンプリングタイミング（０）〜（３）でサンプリングする（４倍サンプリング）。それらのサンプリングタイミング（０）〜（３）は時間的に等間隔にずれており、４倍サンプリングの場合、その間隔はシンボル周期の１／４であり、すなわち、シンボル周波数の４倍の周波数でサンプリングが実施される。サンプリングタイミングの数は、上記４つに限定されず、複数であればよい。
【００３３】
同期確立回路３５は、検波回路３５ａ、ビット列抽出回路（以下、抽出回路という）３５ｂ、同期用ビット列記憶回路（以下、記憶回路という）３５ｃ、相関値算出回路（以下、算出回路という）３５ｄ、閾値設定回路３５ｅ、及び比較回路３５ｆを有する。検波回路３５ａ（検波部）は、ＡＤコンバータ回路３３により量子化されフィルタ回路３４を通過した、ベースバンド信号のサンプル値列を遅延検波等により検波（復号）する。抽出回路３５ｂは、検波回路３５ａにより検波されたサンプル値列から、各サンプリングタイミング（０）〜（３）のサンプル値列をサンプリングタイミング毎に抽出する。抽出されるサンプル値列のサンプル値の数は、記憶回路３５ｃに記憶されているユニークワード２２（図２参照）のビット数に相当する。記憶回路３５ｃは、既知のユニークワード２２を予め記憶している。算出回路３５ｄは、抽出回路３５ｂにより抽出されたサンプル値列と、記憶回路３５ｃに予め記憶されているユニークワード２２との相関値をサンプリングタイミング毎に算出する。このとき、算出回路３５ｄは、抽出回路３５ｂにより抽出されたサンプル値列について、Ｍビットで量子化されたサンプル値を０又は１の２値に置き換えることなく、そのままの値で用いて、相関値を算出する。この算出処理では、量子化されたサンプル値がそのまま用いられることから、検波されたベースバンド信号を軟判定した結果、すなわち、当該信号が上記２値のいずれであるかについての確かさがそのまま用いられる。相関値は、サンプル値列がユニークワード２２のビット列に近づくほど、高くなる。閾値設定回路３５ｅは、同期確立の判断基準となる相関閾値を予め設定する。比較回路３５ｆは、その設定された相関閾値と、上記算出された複数のサンプリングタイミングでの相関値とをサンプリングタイミング毎に比較し、算出された相関値が相関閾値以上であるか否かを判断する。
【００３４】
記憶回路３５ｃに記憶されているユニークワード２２の各ビットの値は、０又は１の２値で構成される理想値である。この２値の０と１とは、それぞれ、算出回路３５ｄにおける所定の信号処理にて、絶対値が同じで正負の符号が異なる２値、例えば−１と＋１と同じ扱いになるように変換される。この変換処理のなされた値がビットの値として算出回路３５ｄによる相関値算出処理に用いられる。
【００３５】
算出回路３５ｄは、抽出回路３５ｂにより抽出されたサンプル値列と、記憶回路３５ｃに記憶されているユニークワード２２とにおいて、時系列順で同じ順番のサンプル値とビットの値とを乗算し、それらの乗算結果の総和を算出し相関値とする。このとき、実際の演算においては、上記サンプル値列と上記ユニークワード２２との乗算に相当する信号処理が実行される。
【００３６】
閾値設定回路３５ｅは、不図示の操作部又はインタフェース部からの入力に基づき、相関閾値を予め設定している。その相関閾値は、取り得る最大の相関値（理想相関値）の絶対値に１以下の係数、例えば０．７を乗じた値となるように信号処理で制御される。相関閾値をそのような値とする理由は、受信信号波形が歪んで相関値が小さくなったとしても、相関閾値は、受信信号中のユニークワード２２の相関値とノイズの相関値との区別が可能なレベルであれば、理想相関値と完全に一致していなくてもよいからである。
【００３７】
また、同期確立回路３５は、同期検出回路３５ｇ及び同期設定回路３５ｈをさらに有する。同期検出回路３５ｇは、算出回路３５ｄにより算出された各サンプリングタイミングの相関値のいずれかが、比較回路３５ｆにより、相関閾値以上であると判断されれば、その相関値のサンプリングタイミングをシンボル同期タイミングとして検出する。また、同期検出回路３５ｇは、相関値が相関閾値以上と判断されたタイミングをフレーム同期タイミングとして検出する。同期設定回路３５ｈは、同期検出回路３５ｇによりシンボル同期タイミングとして検出されたサンプリングタイミングを、検波回路３５ａにより検波されたベースバンド信号のシンボル同期タイミングに設定する。また、同期設定回路３５ｈは、同期検出回路３５ｇによりフレーム同期タイミングとして検出されたタイミングを、検波回路３５ａにより検波されたベースバンド信号のフレーム同期タイミングに設定する。このようにして、同期設定回路３５ｈは、算出回路３５ｄにより算出された各サンプリングタイミングの相関値に基づいてシンボル同期タイミング及びフレーム同期タイミングを設定し、同期を確立する。
【００３８】
同期設定回路３５ｈは、同期確立後、シンボル同期タイミングに設定されたサンプリングタイミングのサンプル値（例：０．５、−０．７、０．９）を、検波後のベースバンド信号の各シンボル値（例：１、−１、１）として抜き出し、出力する。例えば、サンプリングタイミング（０）〜（３）のうち、サンプリングタイミング（１）がシンボル同期タイミングに設定された場合、同期設定回路３５ｈは、サンプリングタイミング（１）でサンプリングされるサンプル値を、各シンボル値として出力する。従って、同期設定回路３５ｈから出力される信号は、検波後のベースバンド信号をシンボル周波数の１倍の周波数でサンプリングしたサンプル値列（ベースバンド信号を１倍サンプリングしたサンプル値列）となる。同期設定回路３５ｈは、他のサンプリングタイミングのサンプル値列、上記の例においてはサンプリングタイミング（０）、（２）、（３）のサンプル値列については出力しない。
【００３９】
次に、同期システム３２の各回路の連携による同期処理の手順について、図１と図３に加えて図４を参照して説明する。ここで、ユニークワード２２のビット数をＮとする。
【００４０】
受信回路３１は、ＲＦ信号が入力されたとき、そのＲＦ信号をダウンコンバートしてベースバンド信号に変換する（Ｓ１）。ＡＤコンバータ回路３３は、ベースバンド信号をサンプリングタイミング（０）〜（３）でサンプリングし（Ｓ２；オーバサンプリングステップ）、かつ量子化する。検波回路３５ａは、そのサンプリングされ、かつ量子化されたベースバンド信号がフィルタ回路３４を通過した後、そのベースバンド信号を検波する（Ｓ３；検波ステップ）。
【００４１】
抽出回路３５ｂは、検波後のベースバンド信号Ｂ１から、各サンプリングタイミング（０）〜（３）につき、Ｎビットのサンプル値列を順次抽出する（Ｓ４）。算出回路３５ｄは、抽出回路３５ｂにより抽出されたサンプル値列と、記憶回路３５ｃに記憶されているユニークワード２２との相関値を算出する（Ｓ５）。相関値の算出はサンプリングタイミング毎になされる。
【００４２】
比較回路３５ｆは、Ｓ５で算出された相関値と、閾値設定回路３５ｅにより予め設定された相関閾値とを比較し（Ｓ６）、その算出された相関値が相関閾値以上であるか否かをサンプリングタイミング毎に判断する。
【００４３】
Ｓ５で算出された相関値が相関閾値以上と判断されたとき（Ｓ７でＹｅｓ）、同期検出回路３５ｇは、その相関値のサンプリングタイミングをシンボル同期タイミングとして検出する。また同時に、同期検出回路３５ｇは、相関値が相関閾値以上と判断されたタイミングをフレーム同期タイミングとして検出する（Ｓ８）。同期設定回路３５ｈは、検波回路３５ａにより検波されたベースバンド信号Ｂ１に対して、Ｓ８で検出された同期タイミングを設定する（Ｓ９；同期確立ステップ）。Ｓ５で算出された相関値が相関閾値未満と判断されたときには（Ｓ７でＮｏ）、Ｓ１の処理に戻る。
【００４４】
本実施形態における算出回路３５ｄの演算手法を説明する。この演算手法では、抽出されたサンプル値列について、Ｍビットで量子化されたサンプル値を２値に置き換えることなく、そのままの値で用いて、サンプル値列とユニークワード２２との相関値が算出される。
【００４５】
ここで、上記演算手法の比較対象として、従来のようにサンプル値を、２値化閾値を０として１又は−１の２値に置き換えてから算出した相関値の例を２つ、図５（ａ）（ｂ）に示す。これらの例において、ユニークワード２２は１、−１、１の３ビットとする。ユニークワード２２の各ビットの値及びビット数はこれに限定されない。以下、サンプル値を２値に置き換えて相関値を算出する方法を２値化演算手法と呼ぶこととする。
【００４６】
図５（ａ）は、抽出されたサンプル値列がユニークワード２２を示す受信信号のサンプル値列であって、例えば０．８、−０．３、−０．１であった場合を示す。この場合において、上記サンプル値−０．１は、理想値が１であり、理想値と比べて符号が反転しているが、２値化閾値との差は０．１だけである。しかしながら、サンプル値−０．１は、０を２値化閾値とした−１もしくは１への２値化により−１に丸め込まれて、２値化閾値との差は１と見なされる。その結果、抽出されたサンプル値列の相関値は１．０になる。
【００４７】
一方、図５（ｂ）は、抽出されたサンプル値列がユニークワード２２ではない他のビット列を示す受信信号のサンプル値であって、例えば０．８、−０．３、−０．７であった場合を示す。この場合の相関値も１．０になる。
【００４８】
これらの結果に示されるように、２値化演算手法では、ユニークワード２２を示す信号を受信したときの相関値と、他のビット列を示す信号を受信したときの相関値との差が小さくなることがあり、上記の例が示す通り、時には０になる。従って、受信信号においてユニークワード２２と他のビット列とを識別し難いことがあり、誤同期の生じる虞がある。
【００４９】
これに対して、本実施形態の演算手法では、図５（ａ）（ｂ）と同じ条件であっても、図５（ｃ）（ｄ）に示されるように、相関値は、それぞれ、１．０、０．４となり、それぞれの場合の相関値の差が０．６になる。この結果に表されるように、本実施形態の演算手法では、ユニークワード２２を示す信号を受信したときの相関値と、他のビット列を示す信号を受信したときの相関値との差が大きくなる。そのため、受信信号においてユニークワード２２と他のビット列とを識別し易くなり、同期精度が高くなる。
【００５０】
ところで、２値化演算手法においては、図６（ａ）（ｂ）に示されるように、サンプル値が例えば０．８、−０．３、０．１であっても、又は０．９、−０．９、０．９であっても、相関値は３．０になり、同じになる。相関閾値を例えば２．０とした場合、図６（ａ）（ｂ）のサンプリングタイミングでは共に相関値が相関閾値以上となることから、いずれのサンプリングタイミングが良いかを判断できない。後者のサンプリングタイミングのサンプル値列の方がユニークワード２２に近いので、そのサンプル値列が抽出されたタイミングを同期タイミングに設定する方がより適切である。しかしながら、両者のサンプル値列の相関値が等しいので、それは難しい。
【００５１】
一方、本実施形態の演算手法においては、図６（ｃ）（ｄ）に示されるように、上記２例の場合の相関値はそれぞれ、１．２、２．７になり、いずれのサンプリングタイミングを選択すれば良いかを判断することができる。このように、本実施形態の演算手法では、サンプル値列に応じて、細かく相関値が算出されるので、その相関値を基に、より適切なタイミングを同期タイミングとして設定でき、従って、同期精度がさらに高くなる。
【００５２】
なお、上記の図６（ａ）（ｃ）はそれぞれ、図５（ａ）（ｃ）において−０．１のサンプル値が、代わりに、０．１であって、より理想値１に近かった場合を示している。図６（ａ）に示されるように、２値化演算手法の場合、サンプル値が０．２だけしか理想値に近づいていないにも係らず、相関値は、２．０（＝３．０−１．０）も増える。一方、図６（ｃ）に示されるように、本実施形態の演算手法の場合には、相関値が１．２になり、相関値の増加分は０．２（＝１．２−１．０）にとどまる。
【００５３】
この２例を比べて分かるように、２値化演算手法では、サンプル値が２値化閾値付近で少し変わるだけで、相関値が大幅に上昇することがあり、そのため、それほど適切でないタイミングが同期タイミングに設定されてしまい、同期精度が低下する虞がある。一方、本実施形態の演算手法では、サンプル値に応じて適正に相関値が算出されることから、より適切なタイミングを同期タイミングに設定することができ、同期精度がさらに向上する。
【００５４】
本実施形態においては、検波後のベースバンド信号のサンプル値列について、Ｍビットで量子化されたサンプル値は２値化されずにそのままの値で用いられ、相関値が算出される。従って、マルチパスフェージングに起因して受信ベースバンド信号波形が歪んだとしても、従来のように量子化されたサンプル値を２値に変換してから相関値を算出する場合と比べ、２値化時の丸め込みによる相関値の誤差が無くなる。従って、相関値に基づいてなされる同期確立の精度を向上することができる。また、同期確立の精度向上に必要な処理は、ＯＦＤＭ方式等のマルチキャリア技術と比べて簡単で済み、従って、回路規模を小さくすることができ、また、回路の低コスト化を図ることができる。
【００５５】
また、シンボル同期を確立するのに、ベースバンド信号の先頭に、１と０とを交互に繰り返す信号を配置してゼロクロスを検出する必要がなくなる。従って、１と０とを交互に繰り返す信号が不要になると共に、ゼロクロス検出回路を設けなくて済む。
【００５６】
また、サンプリングタイミング（０）〜（３）のうち、いずれかのサンプリングタイミングの相関値が相関閾値以上になれば、そのサンプリングタイミングがシンボル同期タイミングに設定される。また、相関値が相関閾値以上になったタイミングがフレーム同期タイミングに設定される。従って、シンボル同期もフレーム同期も同時に確立することができ、それらの同期確立に必要な時間を短縮することができ、処理を高速化することができる。
【００５７】
次に、上記実施形態の各種変形例について図面を参照して説明する。なお、上記実施形態と相違する構成及び処理についてのみ説明し、他は省略する。
（第１の変形例）
図７は、第１の変形例の同期確立回路の構成を示す。その同期確立回路３５を構成する算出回路３５ｄは、全サンプリングタイミング選択回路（以下、選択回路という）３５ｉを有し、選択回路３５ｉは、サンプリングタイミング（０）〜（３）（図３参照）のうち、全てのサンプリングタイミングのサンプル値を選択する。
【００５８】
図８は、本変形例の同期システムによる同期処理の手順を示す。その同期処理は、図４に示した同期処理において、Ｓ５の処理をＳ２１、Ｓ２２の処理に変更し、他の処理は同じとしたものである。上記同期処理においては、選択回路３５ｉが、全サンプリングタイミング（０）〜（３）を選択する（Ｓ２１）。その後、算出回路３５ｄが、上記選択された全サンプリングタイミング（０）〜（３）のサンプル値と、ユニークワード２２の理想値列との相関値を、サンプリングタイミング毎に算出する（Ｓ２２）。
【００５９】
本変形例においては、全サンプリングタイミング（０）〜（３）について相関値が算出される。そのため、サンプリングタイミング（０）〜（３）のうちの一部についてだけ相関値を算出する場合と比べて、算出された相関値を基に、より正確にシンボル値を検出できるサンプリングタイミングを検出することが可能になる。従って、シンボル同期精度をさらに向上することができ、シンボル同期精度に依存するフレーム同期精度をさらに高精度にすることができる。
【００６０】
（第２の変形例）
図９は、第２の変形例の同期確立回路の構成を示す。その同期確立回路３５は、サンプリングタイミング（０）〜（３）（図３参照）にそれぞれ対応付けられた４つのタイミング別相関値算出回路（以下、算出回路という）３５ｊを有する。算出回路３５ｊは、互いに並列に配置されており、各算出回路３５ｊは、抽出回路３５ｂ、記憶回路３５ｃ及び算出回路３５ｄにより構成される。抽出回路３５ｂは、サンプリングタイミング（０）〜（３）のうち、算出回路３５ｊに対応付けられたサンプリングタイミングのサンプル値列だけを抽出する。算出回路３５ｊは、その抽出されたサンプル値列と、ユニークワード２２の理想値列との相関値を算出する。この理想値列は、記憶回路３５ｃに記憶されたユニークワード２２に所定の信号処理を施して得られるビット列である。記憶回路３５ｃは、図示のように、各算出回路３５ｊにそれぞれ設けられていてもよいし、１つの記憶回路３５ｃをそれらの算出回路３５ｊで共用されていてもよい。
【００６１】
図１０は、本変形例の同期システムによる同期処理の手順を示す。その同期処理は、図４に示した同期処理において、Ｓ４、Ｓ５の処理をＳ３１、Ｓ３２の処理に変更し、他の処理は同じとしたものである。上記同期処理においては、４つの抽出回路３５ｂが、サンプリングタイミング（０）〜（３）について並列的に、Ｎビットのサンプル値列を順次抽出する（Ｓ３１）。そして、４つの算出回路３５ｄが、各サンプリングタイミングのサンプル値とユニークワード２２の理想値列との相関値をサンプリングタイミング毎に並列的に算出する（Ｓ３２）。
【００６２】
本変形例においては、相関値算出処理が各サンプリングタイミング毎に独立してなされるので、処理のアルゴリズムをシンプル化することができ、開発が容易になる。また、相関値算出処理が各サンプリングタイミング毎に並列的になされるので、全サンプリングタイミングの相関値算出に要する時間を短縮することができ、処理全体の高速化を図ることができる。
【００６３】
（第３の変形例）
図１１は、第３の変形例の受信装置の構成を示す。その受信装置３の同期確立回路３５は、図９に示された上記第２の変形例の構成に、相関値抽出回路３５ｋと、最大相関値抽出回路３５ｌとを追加した回路である。相関値抽出回路３５ｋ（相関値抽出部）は、算出回路３５ｊにより算出されたサンプリングタイミング（０）〜（３）（図３参照）の相関値の中から、比較回路３５ｆにより相関閾値以上と判定された相関値を抽出する。最大相関値抽出回路３５ｌ（最大相関値抽出部）は、相関値抽出回路３５ｋにより抽出された相関値の中から最大相関値を抽出する。この抽出処理においては、相関値が相関閾値以上と判定されたときから所定の期間内で最大の相関値が抽出される。
【００６４】
図１２は、本変形例の同期システムによる同期処理の手順を示す。その同期処理は、図１０に示された上記第２の変形例の処理において、Ｓ７とＳ８の処理との間にＳ４１、Ｓ４２の処理を追加し、他の処理は同じとしたものである。上記同期処理においては、相関値抽出回路３５ｋが、サンプリングタイミング（０）〜（３）の相関値のうち、Ｓ７の処理で相関閾値以上と判定された相関値を抽出してメモリに一時的に記憶する（Ｓ４１）。そして、最大相関値抽出回路３５ｌが、その抽出された相関値のうち最大の相関値を抽出する（Ｓ４２）。その後、Ｓ８の処理において、同期検出回路３５ｇは、その抽出された最大相関値のサンプリングタイミングをシンボル同期タイミングとして検出し、相関値が最大相関値となったタイミングをフレーム同期タイミングとして検出する。
【００６５】
本変形例においては、サンプリングタイミング（０）〜（３）のうち、複数のサンプリングタイミングで相関値が相関閾値以上になった場合、シンボル値検出精度が最も高いサンプリングタイミングがシンボル同期タイミングに設定される。そのため、同期確立精度の向上を図ることができる。
【００６６】
（第４の変形例）
図１３は、第４の変形例の同期システムの構成を示す。その同期システム３２は、当該システムに入力される入力信号を正規化する正規化回路３７（正規化部）をさらに備える。正規化回路３７は、いわゆるノーマライザであり、フィルタ回路３４と同期確立回路３５との間に挿入されているが、その他の箇所に設けられていてもよい。正規化回路３７は、上記入力信号、詳しくは、同期システム３２にＲＦ信号として入力されフィルタ回路３４を通過したベースバンド信号の受信レベルを調整して正規化し、同期確立回路３５に送出する。つまり、正規化回路３７は、同期確立回路３５の入力信号のレベルを一定化し、安定化させる。
【００６７】
図１４は、本変形例の同期システム３２による同期処理の手順を示す。その同期処理は、図１２に示された上記第３の変形例の処理において、Ｓ２とＳ３の処理との間にＳ５１の処理を追加し、他の処理は同じとしたものである。上記同期処理においては、正規化回路３７が、Ｓ２の処理でサンプリングされたバースバンド信号を正規化する（Ｓ５１）。
【００６８】
本変形例においては、通信環境等の変化に起因して入力信号のレベルが激しく変動するときであっても、同期確立前に信号が正規化されて信号のレベル変動が抑制されるので、安定して同期を確立することができる。
【００６９】
（第５の変形例）
図１５は、第５の変形例の同期確立回路の構成を示す。その同期確立回路３５は、図１１に示された上記第３の変形例の構成に、同期確立回路３５（同期システムを構成）に入力される入力信号の移動平均値を算出する平均値算出回路３５ｍ（平均値算出部）を追加したものである。本変形例の閾値設定回路３５ｅは、その算出された移動平均値を基に、相関閾値を設定する。本変形例の同期確立回路３５においては、平均値算出回路３５ｍ、閾値設定回路３５ｅ及び比較回路３５ｆが４つの算出回路３５ｊの各々に設けられている。４つの平均値算出回路３５ｍは、同じ入力信号について移動平均値を算出し、算出結果は同じになる。４つの閾値設定回路３５ｅも互いに、同じ算出移動平均値を基に同じアルゴリズムで相関閾値を求める。
【００７０】
平均値算出回路３５ｍは、上記入力信号、詳しくは、同期確立回路３５にベースバンド信号として入力され検波回路３５ａにより検波された信号の移動平均値を算出する。平均値算出回路３５ｍは各算出回路３５ｊに設けられている。平均値算出回路３５ｍは、４つの算出回路３５ｊで共用されていてもよい。
【００７１】
閾値設定回路３５ｅは、例えば、算出された移動平均値が小さくなれば相関閾値を連続的又は段階的に下げ、移動平均値が上がれば相関閾値を連続的又は段階的に上げる。移動平均値が所定値よりも低くなったときには、誤同期をより起こり難くするため、閾値設定回路３５ｅは、相関閾値を下げず、特定の値に維持してもよい。
【００７２】
図１６は、本変形例の同期システムによる同期処理の手順を示す。その同期処理は、図１２に示された上記第３の変形例の処理において、Ｓ３とＳ３１の処理との間にＳ６１の処理を追加し、さらに、Ｓ６の処理をＳ６２、Ｓ６３の処理に変更し、他の処理は同じとしたものである。上記同期処理においては、平均値算出回路３５ｍが、Ｓ３の処理で検波されたベースバンド信号の移動平均値を算出する（Ｓ６１）。そして、閾値設定回路３５ｅが、その算出された移動平均値を基に相関閾値を設定する（Ｓ６２）。その後、４つの算出回路３５ｊにおいて、比較回路３５ｆが、その設定された相関閾値と算出回路３５ｄにより算出された相関値とを比較し、それにより相関閾値と各サンプリングタイミング（０）〜（３）（図３参照）の相関値とが並列的に比較される（Ｓ６３）。
【００７３】
本変形例においては、通信環境等の変化に起因して入力信号のレベルが激しく変動したとしても、入力信号の移動平均値を基に算出された相関閾値はその変動に連動する。従って、相関値と相関閾値との比較結果に基づくシンボル同期確立は通信環境変化等に対応したものになる。そのため、安定したシンボル同期、延いては安定したフレーム同期を確立することができる。しかも、入力信号のレベル変動の対応に必要な回路は、上記第４の変形例の正規化回路３７のように複雑な構成の回路ではなく、検波されたベースバンド信号の移動平均値を算出する平均算出回路だけで済むので、上記第４の変形例と比べ、規模が小さくて済む。
【００７４】
（第６の変形例）
図１７は、第６の変形例に係る通信システムの構成を示す。その通信システム１の同期確立回路３５は、図１１に示された上記第３の変形例の構成に、第１カウンタ３５ｎを追加したものである。
【００７５】
送信装置２は、図１８に示す構成の信号を送信する。送信装置２は、フレーム２１を定期的に送信する。各フレーム２１はユニークワード２２を含む。フレーム２１のフレーム長は予め設定されている。
【００７６】
同期検出回路３５ｇは、ユニークワード２２の最後のシンボルを検出した時からの経過時間を第１カウンタ３５ｎにカウントさせる。同期検出回路３５ｇは、シンボル同期タイミング及びフレーム同期タイミングを検出したとき、ユニークワード２２の最後のシンボルを検出したとみなす。同期検出回路３５ｇは、第１カウンタ３５ｎによるカウント時間が上記ユニークワード２２の最後のシンボルが検出される時から次のユニークワード２２入力時までの既知期間以内である間は、誤同期を防ぐため、同期検出動作を停止する。この同期検出動作とは、シンボル同期タイミング及びフレーム同期タイミングを検出する動作のことである。この同期検出動作の停止により、同期設定回路３５ｈの同期確立動作は停止する。同期検出回路３５ｇは、電源投入後、最初のユニークワード２２の最後のシンボルを検出した時を、シンボル同期タイミング及びフレーム同期タイミングの検出を基に検知し、その検知をトリガとして、第１カウンタ３５ｎに上記動作を開始させる。以下、上記の既知期間を同期検出禁止期間と呼ぶこととし、同期検出が可能とされるユニークワード２２の入力期間（長さ）を同期検出許可期間と呼ぶこととする。
【００７７】
図１９は、本変形例の同期システムによる同期処理の手順を示し、図２０は、その同期システムにおける同期検出禁止期間及び同期検出許可期間を示す。図２０に示されるように、同期検出禁止期間は、ユニークワード２２を受信し終えた時から次のユニークワード２２の先頭を受信するまでの既知期間である。ここで、その期間を第１カウンタ３５ｎによりタイムカウントしたときのカウント値をＡとする。また、上記既知期間にユニークワード２２の入力期間を足した期間のタイムカウント値をＢ（Ｂ＞Ａ）とする。この期間は、同期検出禁止期間と同期検出許可期間とを足し合わせた期間である。この期間には、さらに、例えば数ビットの伝送期間がマージンとして足されていてもよい。
【００７８】
本変形例の同期処理（図１９参照）は、図１６に示された上記第５の変形例の処理において、Ｓ１０の処理以後にＳ７１〜Ｓ７６の処理を追加し、他の処理は同じとしたものである。Ｓ１０以前の処理については図示を省略する。上記同期処理においては、電源投入後の最初のユニークワード２２を基にＳ１０までの処理が初めて実行されたとき、それをトリガとして、第１カウンタ３５ｎはカウント値を一旦リセットし（Ｓ７１）、タイムカウントを開始する（Ｓ７２）。カウント値がＡ以上Ｂ以下である間に（Ｓ７３でＹｅｓ；図２０の同期検出許可期間）、同期検出回路３５ｇは、同期検出処理を実行する。その同期検出処理において、シンボル同期タイミング及びフレーム同期タイミングが検出されたとする（Ｓ７４でＹｅｓ）。すなわち、ユニークワード２２の最後のシンボルが検出されたとする。このとき、同期設定回路３５ｈは、検出されたシンボル同期タイミング及びフレーム同期タイミングを、検波回路３５ａにより検波されたベースバンド信号のシンボル同期タイミング及びフレーム同期タイミングを設定し（Ｓ７５）、処理はＳ７１に戻る。カウント値がＡ以上Ｂ以下である間にシンボル同期タイミング及びフレーム同期タイミングが検出されない場合（Ｓ７４でＮｏ）、処理はＳ７３に戻る。
【００７９】
カウント値がＡ未満である間（Ｓ７３でＮｏ、Ｓ７６でＮｏ；図２０の同期検出禁止期間）、同期検出回路３５ｇは、同期検出処理を停止し、処理はＳ７３に戻り、カウントが継続される。カウント値がＢよりも多い場合（Ｓ７３でＮｏ、Ｓ７６でＹｅｓ）、処理はＳ７１に戻る。
【００８０】
本変形例においては、ユニークワード２２以外の受信信号を基に同期が確立されることはない。従って、ユニークワード２２の受信からその次のユニークワード２２の受信までの間にユニークワード２２と一致し又は近似する信号が偶発的に発生したとしても、その信号を基に同期は確立されない。そのため、誤同期を防いで同期エラーの発生を抑制することができる。
【００８１】
（第７の変形例）
第７の変形例に係る通信システムは、上記第６の変形例が持つ課題を解決するように構成されている。まず、その課題について図２１を参照して説明する。図２１は、上記第６の変形例の同期システムにおいて、正規のタイミングからずれてしまった同期検出禁止期間及び同期検出許可期間を示す。そのずれは、同図に示すように、例えば電源投入後の最初のユニークワード２２で同期を確立しそこない、次のユニークワード２２の受信前にデータや雑音によって同期が誤って確立された場合等に生じ得る。上記第６の変形例では、正規のタイミングで同期が確立されるか確立されないかに係らず、電源投入後の最初のユニークワード２２での同期確立をトリガとして、同期検出禁止期間と同期検出許可期間とが一定周期で繰り返される。従って、上記のように最初に正規のタイミングで同期が確立されないと、誤ったタイミングで同期検出禁止期間と同期検出許可期間とが繰り返される。そして、例えば、同期検出禁止期間中にユニークワード２２が受信されて同期検出許可期間中に通信データ２３を受信することになり、いつまでも同期を確立できない。
【００８２】
そこで、この課題を解決可能とした第７の変形例に係る通信システムの構成を図２２に示す。その通信システム１の同期確立回路３５の構成は、上記第６の変形例の構成に、第２カウンタ３５ｏを追加したものである。本変形例の送信装置２は、上記第６の変形例と同様に、フレーム２１（図２０参照）を定期的に送信しており、同期検出回路３５ｇは、ユニークワード２２の最後のシンボルを検出した時からの経過時間を第２カウンタ３５ｏにカウントさせる。その最大カウント時間、すなわち、カウント可能な最長限度の期間は、同期検出禁止期間（既知期間）と同期検出許可期間（ユニークワード２２の入力期間）との合計よりも長く設定されている。最大カウント時間は、例えば、上記合計の期間の整数倍とする。第２カウンタ３５ｏによるカウント時間が上記最大カウント時間に達したとき、同期検出回路３５ｇは、第１カウンタ３５ｎのカウント値をＡに固定し、同期確立停止機能を強制的にオフして、その後の期間を同期検出許可期間とする。
【００８３】
図２３は、本変形例の同期システムによる同期処理の手順を示し、図２４は、その同期システムにおける同期検出禁止期間及び同期検出許可期間を示す。本変形例の同期処理は、図１６に示された上記第５の変形例の処理において、Ｓ１０の処理以後にＳ８１〜Ｓ８５の処理を追加し、他の処理は同じとしたものである。Ｓ１０以前の処理については図示を省略する。
【００８４】
上記同期処理においては、電源投入後、ユニークワードを基にＳ１０までの処理が初めて実行されたとき、それをトリガとして、第２カウンタ３５ｏは動作を開始し、タイムカウントを行う（Ｓ８１）。第２カウンタ３５ｏによるカウント値が最大カウント時間Ｃ（Ｃ＞Ｂ）未満で（Ｓ８２でＹｅｓ）、同期タイミングが検出されない間は（Ｓ８３でＮｏ）、Ｓ８１の処理が継続され、カウントが続く。他方、上記カウント値が最大カウント時間Ｃ未満の間に、同期タイミングが検出された場合（Ｓ８３でＹｅｓ）、同期検出回路３５ｇは、第２カウンタのカウント値をリセットし（Ｓ８４）、処理はＳ８１に戻る。
【００８５】
そして、第２カウンタ３５ｏによるカウント値が最大カウント時間Ｃを超えたとき（Ｓ８２でＮｏ）、同期検出回路３５ｇは、第１カウンタのカウント値をＡに固定する（Ｓ８５）。それにより、同期検出回路３５ｇは、以後の時間を同期検出許可期間とする。
【００８６】
本変形例においては、上記第６の変形例で電源投入後、最初に、誤ったタイミングで同期が確立されてしまったとしても、その後の同期検出禁止期間はなくなる。そのため、正規のタイミングからずれた同期検出禁止期間が本来同期を確立すべきユニークワード２２を受信するタイミングと重なることがなくなる。従って、同期確立可能な状態に復旧することができ、信頼性の向上を図ることができる。しかも、復旧を容易にすることができる。
【００８７】
（第８の変形例）
図２５は、第８の変形例に係る通信システムの構成を示す。その通信システム１の同期確立回路３５は、図１に示された上記実施形態の構成に、タイミング設定回路（以下、設定回路という）３５ｐ（タイミング設定部）を追加した構成を有する。その設定回路３５ｐは、本変形例の送信装置２から送信される信号に関係して動作する。
【００８８】
送信装置２は、図２６に示す構成の信号を送信する。その送信装置２は、１フレーム２１につき、ユニークワード２２をサンプリングタイミング（０）〜（３）（図３参照）の数だけフレーム２１に挿入し、それらのユニークワード２２を連続して送信する。１シンボルＳｂあたりのサンプリングタイミングの数をｎ（ｎ：２以上の整数）とすると、ｎ個のユニークワード２２が１つのフレーム２１に挿入される。
【００８９】
設定回路３５ｐは、サンプリングタイミング（０）〜（３）のうち、抽出回路３５ｂによりサンプル値を抽出するサンプリングタイミングを、１ユニークワード２２の長さ毎に順に切り替える。この長さは、１ユニークワード２２の送信に掛かる期間である。また、設定回路３５ｐは、算出回路３５ｄにより相関値を算出するサンプリングタイミングを上記長さ毎に切り替える。
【００９０】
図２７は、本変形例の同期システムによる同期処理の手順を示す。その同期処理は、図４に示された上記実施形態の処理において、Ｓ１の処理の前にＳ９１の処理を追加し、Ｓ４〜Ｓ７の処理をそれぞれＳ９２〜Ｓ９５の処理に変更し、さらに、Ｓ９の処理後にＳ９６、Ｓ９７の処理を加えたものである。
【００９１】
設定回路３５ｐは、サンプリングタイミングを変数ｉとし、ｉ＝０に設定する（Ｓ９１）。抽出回路３５ｂは、サンプリングタイミング（ｉ）のＮビットのサンプル値列を順次抽出する（Ｓ９２）。算出回路３５ｄは、その抽出したサンプリングタイミング（ｉ）のサンプル値列と理想的なユニークワード２２との相関値を算出する（Ｓ９３）。比較回路３５ｆは、そのサンプリングタイミング（ｉ）の相関値と相関閾値とを比較し（Ｓ９４）、その相関値が相関閾値以上であれば（Ｓ９５でＹｅｓ）、処理はＳ９に移行する。他方、上記相関値が相関閾値未満であり（Ｓ９５でＮｏ）、かつ変数ｉが２以下であれば（Ｓ９６でＹｅｓ）、設定回路３５ｐは、変数ｉをインクリメントし（Ｓ９７）、処理はＳ１に戻る。変数ｉが３になれば、Ｓ９１の処理に戻り、変数ｉはゼロクリアされる。サンプリングタイミングの数をｎとすると、変数ｉが（ｎ−２）以下のとき、Ｓ９７の処理が実行され、その後、処理はＳ１に戻り、変数ｉが（ｎ−１）になれば、処理はＳ９１に戻る。
【００９２】
本変形例においては、サンプリングタイミング（０）〜（３）と同じ数だけ受信するユニークワード２２から、それぞれ、異なるサンプリングタイミング（０）〜（３）のサンプル値列を抽出することができる。従って、抽出されたサンプル値列から同期確立に必要な相関値を算出する算出回路３５ｄは、サンプリングタイミングの数だけ設ける必要はなく、１つで済む。そのため、回路規模を小さくすることができ、また、製造コストの低減を図ることができる。
【００９３】
（第９の変形例）
第９の変形例の通信システムは、図２６に示される上記第８の変形例と同じ構成部材を有しており、本変形例の通信システムの構成については図２６を流用して説明する。
【００９４】
図２８は、本変形例の送信装置２から送信される信号の構成を示す。送信装置２は、１フレーム２１につき、ユニークワード２２をサンプリングタイミング（０）〜（３）（図３参照）の数のｍ（ｍ：整数、例えば２）倍だけフレーム２１に挿入し、それらのユニークワード２２を連続して送信する。
【００９５】
本変形例の設定回路３５ｐは、サンプリングタイミング（０）〜（３）のうち、抽出回路３５ｂによりサンプル値を抽出するサンプリングタイミングを、１ユニークワード２２のｍ倍の長さ毎に順に切り替える。また、設定回路３５ｐは、算出回路３５ｄにより相関値を算出するサンプリングタイミングを上記長さ毎に切り替える。
【００９６】
本変形例においては、上記第８の変形例と同様に、回路規模を縮小し、製造コストを低減する効果が得られる。さらに、図２９に示されるように、ユニークワード２２の受信タイミングがずれても、少なくとも１つのユニークワード２２を、サンプリングタイミング毎に確実に検出することができる。従って、同期確立の精度向上を図ることができる。
【００９７】
なお、本発明は、上記実施形態及び各種変形例の構成に限定されるものでなく、使用目的に応じ、様々な変形が可能である。例えば、上記各種変形例のうちのいずれかの特徴的な構成を他のいずれかの構成と組み合わせてもよい。
【符号の説明】
【００９８】
１  通信システム
２  送信装置
２３  フレーム
３  受信装置
３１  受信回路（受信部、ダウンコンバート部）
３２  同期システム（同期部）
３３  ＡＤコンバータ回路（オーバサンプリング部）
３５  同期確立回路（同期確立部）
３５ａ  検波回路（検波部）
３５ｋ  相関値抽出回路（相関値抽出部）
３５ｌ  最大相関値抽出回路（最大相関値抽出部）
３５ｍ  平均値算出回路（平均値算出部）
３５ｎ  第１カウンタ
３５ｏ  第２カウンタ
３５ｐ  タイミング設定回路（タイミング設定部）
３７  正規化回路（正規化部）
【図１】
2014072742.tif 000003
【図２】
2014072742.tif 000004
【図３】
2014072742.tif 000005
【図４】
2014072742.tif 000006
【図５】
2014072742.tif 000007
【図６】
2014072742.tif 000008
【図７】
2014072742.tif 000009
【図８】
2014072742.tif 000010
【図９】
2014072742.tif 000011
【図１０】
2014072742.tif 000012
【図１１】
2014072742.tif 000013
【図１２】
2014072742.tif 000014
【図１３】
2014072742.tif 000015
【図１４】
2014072742.tif 000016
【図１５】
2014072742.tif 000017
【図１６】
2014072742.tif 000018
【図１７】
2014072742.tif 000019
【図１８】
2014072742.tif 000020
【図１９】
2014072742.tif 000021
【図２０】
2014072742.tif 000022
【図２１】
2014072742.tif 000023
【図２２】
2014072742.tif 000024
【図２３】
2014072742.tif 000025
【図２４】
2014072742.tif 000026
【図２５】
2014072742.tif 000027
【図２６】
2014072742.tif 000028
【図２７】
2014072742.tif 000029
【図２８】
2014072742.tif 000030
【図２９】
2014072742.tif 000031
【図３０】
2014072742.tif 000032
【図３１】
2014072742.tif 000033
【図３２】
2014072742.tif 000034
【図３３】
2014072742.tif 000035